(57)【要約】【課題】  本体の前面のほぼ全幅にわたる大きさの開口部を有する加熱室と、操作部を有し、本体の前面に加熱室の前面開口部を開閉するように設けられた扉とを備えたものにおいて、本体の外形寸法を大きくせずに、加熱室の高さ寸法を大きくすることができて、加熱室が大きく見えるようにする。【解決手段】  加熱室を形成する内箱３後方の機械室１１内の下部に、マグネトロン１３、電源装置１４、これらを冷却する冷却用ファン１５を、ほぼ直線状に並ぶように配設する。マグネトロン１３及び電源装置１４を、内箱３の後方に配置したことにより、内箱３の下方にそれらを配置するスペースを確保する必要がない。このため、加熱室の底面を低くすることができ、本体１の外形寸法を大きくせずに、加熱室の高さ寸法を大きくすることができて、加熱室が大きく見えるようにできる。【選択図】  図１
2005331178.tif 000002
【特許請求の範囲】
【請求項１】
外箱で外殻を形成する本体と、前記外箱内に設けられ、前記本体の前面のほぼ全幅にわたる大きさの開口部を有する加熱室と、操作部を有し、前記本体の前面に前記加熱室の前面開口部を開閉するように設けられた扉とを備えた電子レンジにおいて、
前記加熱室内に高周波を供給するためのマグネトロン及びこれの電源装置を、前記加熱室の後方下部に配置したことを特徴とする電子レンジ。
【請求項２】
加熱室の後方において、前記マグネトロンと、前記電源装置と、この電源装置を冷却する冷却用ファンとをほぼ直線状に配置したことを特徴とする請求項１記載の電子レンジ。
【請求項３】
加熱室の後方中央部から上部にかけて、加熱室内に熱風を供給して循環させる熱風循環機構を備えたことを特徴とする請求項１または２記載の電子レンジ。
【請求項４】
加熱室の後方において、前記マグネトロン及び電源装置と、前記熱風循環機構との間を仕切る仕切り部を設けたことを特徴とする請求項３記載の電子レンジ。
【請求項５】
加熱室の後方において、中央部から上部にかけて、加熱室内に熱風を供給して循環させる熱風循環機構を備えると共に、この熱風循環機構を冷却する冷却用ファンを備え、この熱風循環機構冷却用の冷却用ファンと前記電源装置冷却用の冷却用ファンとを上下に並ぶように配置したことを特徴とする請求項２記載の電子レンジ。
【請求項６】
加熱室の左右両外側の下部に下部仕切板を設け、前記冷却用ファンによる吸気を、本体の下側及び前面側から行うようにしたことを特徴とする請求項２または５記載の電子レンジ。
【発明の詳細な説明】
【技術分野】
【０００１】
本発明は、外箱で外殻を形成する本体と、前記外箱内に設けられ、前記本体の前面のほぼ全幅にわたる大きさの開口部を有する加熱室と、操作部を有し、前記本体の前面に前記加熱室の前面開口部を開閉するように設けられた扉と備えた電子レンジに関する。
【背景技術】
【０００２】
従来、電子レンジにおいては、外箱で外殻を形成する本体の前部に、加熱室の前面開口部を開閉する扉が回動可能に設けられていると共に、本体の前部の例えば右横に操作部を有する操作パネルが設けられていて、前記操作パネルの後方を機械室とし、その機械室内にマグネトロンやこれの電源装置などを配設する構成となっているのが一般的であった。
一方、近年では、扉に操作部を設け、本体内の加熱室の前面開口部を、本体の前面のほぼ全幅にわたる大きさを有する構成とした電子レンジがある。この種の電子レンジにおいては、加熱室の下方に、マグネトロンやこれの電源装置などを配設するのが一般的であった（例えば、特許文献１参照）。
【特許文献１】特開２００１−５９６１６号公報
【発明の開示】
【発明が解決しようとする課題】
【０００３】
上記した特許文献１のような構成のものでは、加熱室の下方に、マグネトロンやこれの電源装置などを配設するスペースを必要としている。このため、扉を開けた状態で加熱室を前から見た際に、加熱室の底面が高く見え、加熱室が小さく見えるという欠点があった。また、製品高さには設置上の制限があるため、加熱室の高さを確保できず、本体の外形サイズに対して加熱室を大きくできないという欠点もあった。
【０００４】
本発明は、上記の欠点を解決するためになされたもので、その目的は、本体の前面のほぼ全幅にわたる大きさの開口部を有する加熱室と、操作部を有し、本体の前面に加熱室の前面開口部を開閉するように設けられた扉とを備えたものにおいて、本体の外形寸法を大きくせずに、加熱室の高さ寸法を大きくすることができて、加熱室が大きく見える電子レンジを提供することにある。
【課題を解決するための手段】
【０００５】
上記の目的を達成するために、本発明は、外箱で外殻を形成する本体と、前記外箱内に設けられ、前記本体の前面のほぼ全幅にわたる大きさの開口部を有する加熱室と、操作部を有し、前記本体の前面に前記加熱室の前面開口部を開閉するように設けられた扉とを備えた電子レンジにおいて、前記加熱室内に高周波を供給するためのマグネトロン及びこれの電源装置を、前記加熱室の後方下部に配置したことを特徴とする。
【発明の効果】
【０００６】
本発明によれば、マグネトロン及びこれの電源装置を、加熱室の後方に配置したことにより、加熱室の下方にそれらを配置するスペースを確保する必要がない。このため、加熱室の底面を低くすることができ、本体の外形寸法を大きくせずに、加熱室の高さ寸法を大きくすることができて、加熱室が大きく見えるようにできる。
【発明を実施するための最良の形態】
【０００７】
以下、本発明の一実施形態について図面を参照して説明する。
まず、図４において、電子レンジの本体１は、外箱２で外殻を形成していて、矩形箱状に構成されている。外箱２の内部には前面が開口した内箱３が設けられていて、この内箱３の内部を加熱室４としている。この加熱室４の前面の開口部４ａは、本体１の前面のほぼ全幅にわたる大きさの矩形状をなしている。そして、本体１の前面部には、加熱室４の開口部４ａを開閉する扉５が設けられている。この扉５は、図示しない支持部を介して本体１の前下部に上下方向に回動可能に支持されている。
【０００８】
扉５の前面部には、図３に示すように、上部に手掛け部６が設けられていると共に、下部に複数の操作部７及び表示部８を有する操作パネル９が設けられている。操作部７は、加熱調理の調理モードや調理時間などを設定するためのものであり、また、表示部８は、選択された調理モードや調理時間などを表示するためのものである。本体１の下面には脚部１０が設けられている。
【０００９】
上記本体１の背部には、図２に示すように、内箱３（加熱室４）の後方に位置させて機械室１１が形成されていて、この機械室１１は後部カバー１２により覆われている。図２は、内箱３の右側において破断した縦断右側面図、図１は機械室１１を後ろ側から見た破断背面図である。
図１において、機械室１１の下部には、右からマグネトロン１３と、これの電源装置１４と、この電源装置１４を冷却する冷却用ファン１５とが左右方向に直線状に並ぶように配設されている。マグネトロン１３は高周波を発生するもので、その発生した高周波は、加熱室４の下面に設けられた導波管１６を通して加熱室４内に供給されるようになっている。冷却用ファン１５は、送風用の羽根とこの羽根を回転駆動するモータを備えている。
【００１０】
機械室１１における左右方向の中央部で、かつ上下方向の中央部から上部にかけて、熱風循環機構１７が設けられている。この熱風循環機構１７は、加熱室４内に熱風を供給して循環させるためのもので、ヒータ１８と、送風用の羽根１９と、これらを覆うカバー２０と、羽根１９を回転駆動するモータ２１とを備えている。熱風循環機構１７の図１における左側には、上記冷却用ファン１５の上方に位置させて、熱風循環機構１７冷却用の冷却用ファン２２が配設されている。また、熱風循環機構１７の図１における右側には、制御用配線基板２３が設けられている。
【００１１】
そして、機械室１１内には、下部のマグネトロン１３及び電源装置１４と、上部の熱風循環機構１７及び制御用配線基板２３との間を仕切る板状の仕切り部２５が設けられていると共に、上側の冷却用ファン２２の上側にも板状の上部仕切り部２６が設けられている。また、内箱３の左右両側の下部と外箱２との間には、下部仕切板２７，２８が設けられている。これら下部仕切板２７，２８は、内箱３の前後方向に沿って延びている（図２参照）。内箱３の右側壁３ａの前部の上部には、扉５の開閉に応動するインターロックスイッチ２９が設けられている。また、加熱室４の右側（図１においては左側）には、送風ダクト３０が設けられている。この送風ダクト３０は、前端部がインターロックスイッチ２９に臨み、後端部が機械室１１に臨んでいる。
【００１２】
上記構成において、下側の冷却用ファン１５が駆動されると、この冷却用ファン１５の送風作用により、図１及び図２に矢印Ａ１で示すように、本体１の外部の空気が、主に本体１の下部及び前部から機械室１１内に吸入される。そして、その吸入された空気の大部分は、図１及び図２に矢印Ａ２で示すように、電源装置１４及びマグネトロン１３側へ吐出され、これら電源装置１４及びマグネトロン１３が冷却される。これら電源装置１４及びマグネトロン１３を冷却した空気は、図１に矢印Ａ３で示すように、外箱２の内面に沿って機械室１１内の上部へ流れ、図示しない排気口から本体１の上方側へ排出される。
【００１３】
また、上側の冷却用ファン２２が駆動されると、この冷却用ファン２２の送風作用により、上記冷却用ファン１５の場合と同様に図１及び図２に矢印Ａ１で示すように、本体１の外部の空気が、主に本体１の下部及び前部から機械室１１内に吸入される。そして、その吸入された空気の大部分は、図１及び図２に矢印Ａ４で示すように、熱風循環機構１７及び制御用配線基板２３側へ吐出され、これら熱風循環機構１７及び制御用配線基板２３が冷却される。これら熱風循環機構１７及び制御用配線基板２３を冷却した空気は、図１に矢印Ａ５で示すように、機械室１１内の上部へ流れ、図示しない排気口から本体１の上方側へ排出される。
【００１４】
なお、冷却用ファン１５または２２が駆動された際に、それらから吐出された空気の一部は、図２の矢印Ａ６で示すように、送風ダクト３０を通してインターロックスイッチ２９に吹き当てられ、このインターロックスイッチ２９が冷却される。
このように、冷却用ファン１５または２２が駆動された場合、これら冷却用ファン１５、２２の吸気は、本体１の下側及び前面側から行われ、排気は本体１の上部から行われる。
【００１５】
図５は、上記構成の電子レンジが、壁３５により囲まれた空間３６に収納された状態が概略的に示されている。このような状態で、電子レンジの冷却用ファン１５または２２が駆動された場合、矢印Ｂ１で示すように、本体１の前部側から吸気され、矢印Ｂ２で示すように、本体１の上部から前方に向けて排気される。従って、上記電子レンジは、そのままビルトインタイプとして使用することが可能である。
【００１６】
上記した実施形態によれば、次のような効果を得ることができる。
まず、本体１の前面のほぼ全幅にわたる大きさの開口部４ａを有する加熱室４と、操作部７を有し、本体１の前面に加熱室４の前面開口部４ａを開閉するように設けられた扉５と備えた電子レンジにおいて、マグネトロン１３及びこれの電源装置１４を、内箱３（加熱室４）の後方に配置したことにより、加熱室４の下方にそれらを配置するスペースを確保する必要がない。このため、加熱室４の底面を低くすることができ、本体１の外形寸法を大きくせずに、加熱室４の高さ寸法を大きくすることができて、加熱室が大きく見えるようにできる。また、加熱室３の下方のスペースを自由に使うことができるため、比較的大きな導波管１６を使用することが可能になり、高周波の制御が容易となる利点もある。
【００１７】
また、内箱３後方の機械室１１内において、マグネトロン１３と、これの電源装置１４と、この電源装置１４を冷却する冷却用ファン１５とをほぼ直線状に並ぶように配置したことにより、一つの冷却用ファン１５で、マグネトロン１３及び電源装置１４を効率良く冷却することができる。
さらに、機械室１１内において、下部のマグネトロン１３及び電源装置１４と、上部の熱風循環機構１７との間を仕切る仕切り部２５を設けたことにより、熱風循環機構１７の発生する熱が、マグネトロン１３及び電源装置１４側へ及び難くできる。また、マグネトロン１３及び電源装置１４は冷却用ファン１５により、熱風循環機構１７及び制御用配線基板２３は冷却用ファン２２により、それぞれ独立して冷却することができる。
【００１８】
機械室１１内において、熱風循環機構１７冷却用の冷却用ファン２２と、電源装置１４冷却用の冷却用ファン１５とを上下に並ぶように配置したことにより、それら冷却用ファン２２，１５の吸気経路を同じ方向とすることができる。
内箱３（加熱室４）の左右両外側の下部に下部仕切板２７，２８を設け、冷却用ファン１５，２２による吸気を、本体１の下側及び前面側から行うようにすると共に、排気は本体１の上方から行うようにしたことにより、製品（電子レンジ）を、図５に示すように、そのままビルトインタイプとして使用することが可能となる。
【００１９】
上記した実施形態において、冷却用ファン１５，２２としては、プロペラファン、シロッコファンなど、各種のファンを使用することが可能である。熱風循環機構１７、及びこれを冷却する冷却用ファン２２は、必要に応じて設ければよい。
【図面の簡単な説明】
【００２０】
【図１】本発明の一実施例を示すもので、本体後部の機械室部分の破断背面図
【図２】破断右側面図
【図３】正面図
【図４】扉を開放した状態での斜視図
【図５】電子レンジを壁によって囲まれた空間へ収納した状態の斜視図
【符号の説明】
【００２１】
図面中、１は本体、２は外箱、３は内箱、４は加熱室、４ａは開口部、５は扉、６は操作部、９は操作パネル、１１は機械室、１３はマグネトロン、１４は電源装置、１５は電源装置冷却用の冷却用ファン、１７は熱風循環機構、２２は熱風循環機構冷却用の冷却用ファン、２３は制御用配線基板、２５は仕切り部、２７，２８は下部仕切板、３５は壁、３６は空間を示す。
【図１】
2005331178.tif 000003
【図２】
2005331178.tif 000004
【図３】
2005331178.tif 000005
【図４】
2005331178.tif 000006
【図５】
2005331178.tif 000007